(57)【要約】      （修正有）【課題】自給式照明設備を提供する。【解決手段】灯笠１１とケーシング１２及び発光素子１３からなり、ケーシング１２内に、発光素子１３、灯光源１、集電プレート２１、コントローラ２２、蓄電装置２３及び電流変換スィッチ２４からなり、複数の集電プレート２１が設置され、発光素子１３から放射した光を電気エネルギーに変換でき、コントローラ２２と蓄電装置２３及び電流変換スィッチ２４及び、電流Ａ回路２４２と電流Ｂ回路２４３の二つの回路が設置され、複数の集電プレート２１から吸収した電気エネルギーを蓄電装置２３に蓄電され、上記蓄電装置２３が、電気エネルギーを検知スィッチ２４１を介して、電流変換スィッチ２４に送り、電流Ａ回路２４２を介して、発光素子１３に電気エネルギーを供給し、外部電源からの電気エネルギーを引受けて電流Ｂ回路２４３を介して発光素子１３に電気エネルギーを供給できる自給集電セット２とから構成される。【選択図】図１
2011023137.tif 000002
【特許請求の範囲】
【請求項１】
少なくとも、
主として、灯笠とケーシング及び発光素子からなり、灯笠の上端にケーシングが設置され、ケーシング内に、発光素子が設置され、上記灯笠とケーシングが、発光素子を保護するものであり、発光素子が、光源を提供するものである灯光源と、
主として、集電プレート、コントローラ、蓄電装置及び電流変換スィッチからなり、灯光源の灯笠の内側に、複数の集電プレートが設置され、上記集電プレートが、灯光源の発光素子から出射した光線を吸収して、その光線を電気エネルギーに変換でき、また、灯光源のケーシング内に、それぞれ、コントローラと蓄電装置及び電流変換スィッチが設置され、電流変換スィッチの一端に、検知スィッチが設置され、他の一端に、それぞれ、電流Ａ回路と電流Ｂ回路の二つの回路が設置され、前記コントローラが、複数の集電プレートから吸収した電気エネルギーを引受けて統合でき、前記電気エネルギーが、更に、蓄電装置に伝送されて蓄電され、上記蓄電装置が、蓄電されている電気エネルギーを、検知スィッチを介して、電流変換スィッチに送り、そして、電流Ａ回路（第一の回路）を介して、発光素子に電気エネルギーを供給し、電流変換スィッチでも、外部電源からの電気エネルギーを引受けて電流Ｂ回路（第二の回路）を介して発光素子に電気エネルギーを供給できる自給集電セットと、
から構成される、
ことを特徴とする自給式照明設備。
【請求項２】
前記灯光源の灯笠は、外形が、所定の角度で広がる、発光素子を保護できるカバーであることを特徴とする請求項１に記載の自給式照明設備。
【請求項３】
前記灯光源の灯笠は、灯笠の外側に、集電プレートが設置されることを特徴とする請求項１に記載の自給式照明設備。
【請求項４】
前記灯光源の発光素子は、ＬＥＤ灯であることを特徴とする請求項１に記載の自給式照明設備。
【請求項５】
前記灯光源の発光素子は、一般の電球や省エネルギー電球であることを特徴とする請求項１に記載の自給式照明設備。
【請求項６】
前記灯光源の発光素子は、蛍光灯であることを特徴とする請求項１に記載の自給式照明設備。
【請求項７】
前記自給集電セットの電流変換スィッチは、一端に設置された電流Ａ回路が、自給集電セットの蓄電装置により供給された電流に基づいて、交流電流又は直流電流に設定されるものであることを特徴とする請求項１に記載の自給式照明設備。
【請求項８】
前記自給集電セットの電流変換スィッチは、一端に設置された電流Ｂ回路が、外部電源から供給された電流に基づいて、交流電流又は直流電流に設定されるものであることを特徴とする請求項１に記載の自給式照明設備。
【発明の詳細な説明】
【技術分野】
【０００１】
本発明は、照明設備に関し、特に、自給式照明設備に関する。
【背景技術】
【０００２】
従来の照明灯は、室内で発光すると、その光線が、天井および室内の比較的上部の壁に放射され、屈折するが、光線が、絶えず室内で屈折すると、室内の人間の目に損傷を与えるおそれがある。また、従来の省電灯は、一般の照明灯よりも有効に電気エネルギーの節約が可能であるが、必要な光の制御がなお、十分でなく、余剰の光を放射するので、目を損傷する可能性がある。
かかる事情のもとに、必要な時に照明できるように蓄電し、常時光線が屈折することを制御した照明設備の開発が切望されてきた。
【発明の開示】
【発明が解決しようとする課題】
【０００３】
従って、本発明の主な課題は、自ら電気エネルギーを蓄電して供給できる自給効果を有する照明設備を提供する点にある。
【課題を解決するための手段】
【０００４】
そこで、本発明者は、本発明の前記課題を解決するため、鋭意検討を重ねた結果、前記問題点を有効に解消することが可能な合理的な設計に着目し、かかる知見に基いて本発明を完成した。
かくして、本発明によれば、
少なくとも、主として、灯笠とケーシング及び発光素子からなり、灯笠の上端にケーシングが設置され、ケーシング内に、発光素子が設置され、上記灯笠とケーシングが、発光素子を保護するものであり、発光素子が、光源を提供するものである灯光源と、
主として、集電プレートやコントローラ、蓄電装置及び電流変換スィッチからなり、灯光源の灯笠の内側に、複数の集電プレートが設置され、上記集電プレートが、灯光源の発光素子から放射した光線を吸収して、その光線を電気エネルギーに変換でき、また、灯光源のケーシング内に、それぞれ、コントローラと蓄電装置及び電流変換スィッチが設置され、電流変換スィッチの一端に検知スィッチが設置され、他の一端に、それぞれ、電流Ａ回路と電流Ｂ回路の二つの回路が設置され、コントローラが、複数の集電プレートから吸収した電気エネルギーを引受けて統合でき、上記電気エネルギーが、更に、蓄電装置に伝送されて蓄電され、上記蓄電装置が、蓄電されている電気エネルギーを、検知スィッチを介して、電流変換スィッチに送り、そして、電流Ａ回路（第一の回路）を介して、発光素子に電気エネルギーを供給し、電流変換スィッチでも、外部電源からの電気エネルギーを引受けて電流Ｂ回路（第二の回路）を介して発光素子に電気エネルギーを供給できる自給集電セットと、
から構成される、
ことを特徴とする自給式照明設備
が提供される。
【０００５】
本発明によれば、前記の自給式照明設備を提供することができるが、好ましい実施の態様として、次の１）〜７）に掲げるものを包含する。
１）前記灯光源の灯笠は、外形が、所定の角度で広がる、発光素子を保護できるカバーである前記自給式照明設備。
２）前記灯光源の灯笠は、灯笠の外側に、集電プレートが設置された前記自給式照明設備。
３）前記灯光源の発光素子は、ＬＥＤ灯である前記自給式照明設備。
４）前記灯光源の発光素子は、一般の電球又は省エネルギー電球である前記自給式照明設備。
５）前記灯光源の発光素子は、蛍光灯である前記自給式照明設備。
６）前記自給集電セットの電流変換スィッチは、一端に設置された電流Ａ回路が、自給集電セットの蓄電装置により供給された電流に基づいて、交流電流または直流電流に設定されるものである前記自給式照明設備。
７）前記自給集電セットの電流変換スィッチは、一端に設置された電流Ｂ回路が、外部電源から供給された電流に基づいて、交流電流や直流電流に設定されるものである前記自給式照明設備。
本発明による自給式照明設備は、前記の如く、少なくとも、灯光源と自給集電セットから構成される。
【０００６】
前記灯光源は、主として、灯笠とケーシング及び発光素子からなり、灯笠の上端に、ケーシングが設置され、ケーシング内に、発光素子が設置され、上記灯笠とケーシングが、発光素子を保護するものであり、発光素子が、光源を提供する灯である。
【０００７】
前記自給集電セットは、主として、集電プレートとコントローラ、蓄電装置及び電流変換スィッチからなり、灯光源の灯笠の内側に、灯光源の発光素子から放射した光線を吸収できる複数の集電プレートが設置され、その光線が、電気エネルギーに変換され、また、灯光源のケーシング内に、それぞれ、コントローラと蓄電装置及び電流変換スィッチが設置され、電流変換スィッチの一端に、検知スィッチが設置される。また、他の一端に、それぞれ、電流Ａ回路と電流Ｂ回路の二つの回路が設置され、コントローラが、複数の集電プレートから吸収した電気エネルギーを引受けて統合でき、その電気エネルギーが、更に蓄電装置へ伝送されて蓄電され、その蓄電装置に蓄電された電気エネルギーが、検知スィッチを介して、更に、電流変換スィッチへ送られてから、電流Ａ回路に供給できる。これにより、第一の回路を介して発光素子に電気エネルギーを供給でき、電流変換スィッチにより、外部電源から供給された電気エネルギーを引受けて、電流Ｂ回路へ伝送できる。これにより、第二の回路で発光素子に電気エネルギーを供給することができる。
【発明を実施するための最良の形態】
【０００８】
以下、図面を参照しながら、本発明の特徴及び技術内容について、詳しく説明する。もっとも、それらの図面等は、参考や説明のためであり、本発明は、図面等によって制限されることが無い。
本発明は、自給式照明設備であり、図１のように、少なくとも、灯光源１と自給集電セット２から構成される。
灯光源１は、図２に示すように、主として、灯笠１１とケーシング１２及び発光素子１３からなり、灯笠１１は、所定の角度で広がるカバーで、上端に、ケーシング１２が設置される。ケーシング１２内に発光素子１３が設置され、上記灯笠１１とケーシング１２は、発光素子１３を保護するものである。発光素子１３は、光線を供給する灯光源であり、その発光素子１３により、交互的に自給集電セット２又は外部電源３により供給された電力を使用できる。発光素子１３が、ＬＥＤ灯でもよいし、図３のように、一般の電球や省エネルギー電球でもよい。また、図４のように、発光素子１３が、蛍光灯でも良い。
【０００９】
自給集電セット２は、図１のように、主として、集電プレート２１とコントローラ２２、蓄電装置２３及び電流変換スィッチ２４からなり、灯光源１の灯笠１１の内側に、複数の集電プレート２１が設置され、上記集電プレート２１が、灯光源１の発光素子１３から放射した光線を吸収して、その光線を電気エネルギーに変換できる。また、灯光源１のケーシング１２内に、コントローラ２２と蓄電装置２３及び電流変換スィッチ２４が設置される。電流変換スィッチ２４の一端に、検知スィッチ２４１が設置され、電流変換スィッチ２４の他の一端に、それぞれ、電流Ａ回路２４２と電流Ｂ回路２４３の二つの回路が設置される。電流Ａ回路２４２と電流Ｂ回路２４３により、蓄電装置２３や外部電源３によって供給された電流に基づいて、交流電流又は直流電流に設定されることができる。図５で示すように、コントローラ２２は、複数の集電プレート２１から吸収された電気エネルギーを引受けて統合でき、その電気エネルギーが、更に、蓄電装置２３へ伝送されて蓄電され、その蓄電装置２３は、蓄電された電気エネルギーを、更に、検知スィッチ２４１を介して、電流変換スィッチ２４へ送り、そして、電流Ａ回路２４２に供給する。これにより、第一の回路で発光素子１３に電気エネルギーを供給するようになり、電流変換スィッチ２４は、外部電源３も引受けることができる。その外部電源３の電気エネルギーが、電流変換スィッチ２４へ送られてから、電流Ｂ回路２４３へ伝送されると、第二の回路で、発光素子１３に電気エネルギーを供給することになり、そのため、電流変換スィッチ２４は、必要に応じて、蓄電装置２３と外部電源３によって供給された電気エネルギーを、交互的に発光素子１３に供給でき、また、図６のように、灯笠１１の外側にも、集電プレート２１が設置され、その集電プレート２１を利用して、外部光源を余計に吸収でき、蓄電量が増大される。
【００１０】
本発明の自給式照明設備によれば、図７のように、一般の場合、上記灯光源１の発光素子１３は、外部電源３によって供給された電気エネルギーで発光し、発光素子１３が発光する時、その灯光源１の灯笠１１に放射した光線が、灯笠１１に設けられた複数の自給集電セット２の集電プレート２１によって吸収される。これにより、図５のように、集電プレート２１によって、吸収された光線が、それぞれ、電気エネルギーに変換されて自給集電セット２のコントローラ２２によって統合される。統合された後の電気エネルギーが、更に、自給集電セット２の蓄電装置２３へ送られて蓄電される。その蓄電装置２３に蓄電された電気エネルギーが一杯になると、上記自給集電セット２の電流変換スィッチ２４の一端に設けられた検知スィッチ２４１により、蓄電装置２３内の電気エネルギーが、電流変換スィッチ２４へ送られる。電流変換スィッチ２４で、外部電源３が供給した電気エネルギーをオフして、蓄電装置２３の電気エネルギーを、発光素子１３に供給する。蓄電装置２３内に蓄電された電気エネルギーが無くなると、検知スィッチ２４１により、蓄電装置２３で電気エネルギーを供給する回路をオフにし、上記電流変換スィッチ２４により、再び、外部電源３で電気エネルギーを供給する回路をオンにする。また、蓄電装置２３によって供給された電流が直流電流で、外部電源３によって供給された電流が交流電流である場合、上記の二種類の電流が電流変換スィッチ２４へ流れると、その直流電流が、電流Ａ回路２４２である回路を介して、発光素子１３に電流を供給し、交流電流が、電流Ｂ回路２４３である回路を介して、発光素子１３に電流を供給する。
【００１１】
本発明に係る自給式照明設備によれば、次の利点が得られる。例えば、図７のように、灯光源１の灯笠１１に、複数の自給集電セット２の集電プレート２１が設置され、上記集電プレート２１により、灯光源１の発光素子１３が集電プレート２１に照射した光線が吸収されて、上記光線が電気エネルギーに変換され、また、その電気エネルギーが、蓄電されて、再び、発光素子１３に供給して使用でき、これにより、その灯光源の発光素子１３は、外部電源３から供給された電気エネルギーを、大量に節約できる。
以上の通りであるから、本発明に係る自給式照明装置は、より進歩的かつより実用的であり、産業上貢献する点も極めて大きいので法的保護を求める。
以上の説明は、本発明の好適な実施例であるが、本発明は、それによって制限されるものではない。また、本発明に係る特許請求の範囲や明細書の内容に基づいて行う変更や修正による均等の範囲は、本発明の範囲内に含まれる。
【図面の簡単な説明】
【００１２】
【図１】本発明の全体断面概念図である。
【図２】本発明の発光素子にＬＥＤ灯を使用する場合の外観立体概念図である。
【図３】本発明の発光素子に電球を使用する場合の外観立体概念図である。
【図４】本発明の発光素子に蛍光灯を使用する場合の外観立体概念図である。
【図５】本発明の発光素子に電気エネルギーを供給する場合の流れ図である。
【図６】本発明の集電プレートを灯笠外に設置する場合の断面概念図である。
【図７】本発明の発光素子が発光する場合の断面概念図である。
【符号の説明】
【００１３】
１      灯光源
１１    灯笠
１２    ケーシング
１３    発光素子
２      自給集電セット
２１    集電プレート
２２    コントローラ
２３    蓄電装置
２４    電流変換スィッチ
２４１  検知スィッチ
２４２  電流Ａ回路
２４３  電流Ｂ回路
３      外部電源
【図１】
2011023137.tif 000003
【図２】
2011023137.tif 000004
【図３】
2011023137.tif 000005
【図４】
2011023137.tif 000006
【図５】
2011023137.tif 000007
【図６】
2011023137.tif 000008
【図７】
2011023137.tif 000009